(57)【要約】【課題】電動工具の誤操作を防止する。【解決手段】この電動工具１０は、駆動源１６を内部に収納するハウジング１１と、駆動源１６によって駆動される先端工具２１と、外部電源に接続された電源コード４１に取り付けられたコード側端子コネクタ４２と接続することで、外部電源からの電力を駆動源１６に供給する装置側端子コネクタ３２と、駆動源１６のオン・オフ切り替えを行うスイッチ装置３１と、を備えており、装置側端子コネクタ３２とスイッチ装置３１が備えるスイッチレバー３１ａとが並んで設置されている。そして、少なくとも装置側端子コネクタ３２とスイッチ装置３１との間の位置に、装置側端子コネクタ３２とスイッチ装置３１とを仕切る保護壁３５が設けられている。【選択図】図８
2019059010.tif 000002
【特許請求の範囲】
【請求項１】
駆動源を内部に収納するハウジングと、
前記駆動源によって駆動される先端工具と、
外部電源に接続された電源コードに取り付けられたコード側端子コネクタと接続することで、外部電源からの電力を前記駆動源に供給する装置側端子コネクタと、
前記駆動源のオン・オフ切り替えを行うスイッチ装置と、を備え、
前記装置側端子コネクタと前記スイッチ装置が備えるスイッチレバーとが並んで設置される電動工具において、
少なくとも前記装置側端子コネクタと前記スイッチレバーとの間の位置に、前記装置側端子コネクタと前記スイッチレバーとを仕切る保護壁を設けたことを特徴とする電動工具。
【請求項２】
請求項１に記載の電動工具において、
前記保護壁は、前記ハウジングと一体的に形成されていることを特徴とする電動工具。
【請求項３】
請求項１又は２に記載の電動工具において、
前記保護壁は、前記スイッチレバーから所定距離分離間した位置に設けられており、
前記スイッチレバーの周囲の少なくとも一部を取り囲むように湾曲部を有して構成されていることを特徴とする電動工具。
【請求項４】
請求項３に記載の電動工具において、
前記スイッチ装置は、前記スイッチレバーをオン位置とオフ位置とに切り替えることでオン・オフ切り替えを行うスイッチ装置として構成されており、
前記保護壁は、
前記装置側端子コネクタと前記スイッチレバーとの間を仕切る仕切壁部と、
前記スイッチレバーのオフ位置側を保護するように設けられるオフ位置側壁部と、
前記仕切壁部と前記オフ位置側壁部とをつなぐ前記湾曲部と、を有して構成されており、
前記オフ位置側壁部は、前記スイッチレバーを操作する操作者の指先が挿入できる程度に当該スイッチレバーに対して離間した位置に設けられていることを特徴とする電動工具。
【請求項５】
請求項１〜４のいずれか１項に記載の電動工具において、
前記保護壁の前記スイッチレバーと対向する壁面には、前記スイッチ装置のオン・オフ状態を示す標識が設けられていることを特徴とする電動工具。
【発明の詳細な説明】
【技術分野】
【０００１】
本発明は、ハンドグラインダや丸鋸などといった電動工具に関するものである。
【背景技術】
【０００２】
従来、ハンドグラインダや丸鋸などの電動工具では、電源コードが電動工具本体に直接接続され、電源コードと電動工具本体とが分離不能に構成されることが一般的であった。しかしながら、電動工具本体に対して電源コードが分離不能に固定された電動工具の場合、電源コードの捩れによる損傷が発生したり、電源コードが痛んだりした場合の交換が容易でないなど、従来技術には様々な課題が存在していた。
【０００３】
そこで、本願出願人は、下記特許文献１に示すように、電源コードと電動工具本体とを着脱自在とするための発明を提案している。かかる発明によれば、コネクタ機構の小型化・単純化を実現しつつも、端子接触部の摩耗・変形を防止し、接触不良を好適に防ぐことのできる従来にはない電動工具用コネクタ装置を提供することが可能となっている。
【先行技術文献】
【特許文献】
【０００４】
【特許文献１】特開２０１６−２２５２７２号公報
【発明の概要】
【発明が解決しようとする課題】
【０００５】
本願出願人によって成された上掲の特許文献１に係る発明は、電動工具の分野において画期的なものであったが、本願発明者は、当該発明に係る電動工具についての操作性の更なる向上のために、新たな発明を創案するに至った。この発明は、この種の電動工具において、誤操作などの不具合が発生しないようにするための新たな構成を提案するものである。特に、上掲した特許文献１に係る発明では、装置側端子コネクタとスイッチ装置とが並んで設置されることが想定されることから、このような形態の電動工具であっても、電源コードの接続作業時に誤ってスイッチ装置を操作することのない電動工具を提供する必要がある。
【０００６】
本発明は、上述した電動工具用コネクタ装置を備えた電動工具の更なる改良のために成されたものであり、その目的は、操作者がどのような状況であっても誤操作することがない電動工具を提供することにある。
【課題を解決するための手段】
【０００７】
以下、本発明について説明する。なお、本発明の理解を容易にするために添付図面の参照番号を括弧書きにて付記するが、それにより本発明が図示の形態に限定されるものではない。
【０００８】
本発明に係る電動工具（１０）は、駆動源（１６）を内部に収納するハウジング（１１）と、前記駆動源（１６）によって駆動される先端工具（２１）と、外部電源に接続された電源コード（４１）に取り付けられたコード側端子コネクタ（４２）と接続することで、外部電源からの電力を前記駆動源（１６）に供給する装置側端子コネクタ（３２）と、前記駆動源（１６）のオン・オフ切り替えを行うスイッチ装置（３１）と、を備え、前記装置側端子コネクタ（３２）と前記スイッチ装置（３１）が備えるスイッチレバー（３１ａ）とが並んで設置される電動工具（１０）であって、少なくとも前記装置側端子コネクタ（３２）と前記スイッチレバー（３１ａ）との間の位置に、前記装置側端子コネクタ（３２）と前記スイッチレバー（３１ａ）とを仕切る保護壁（３５）を設けたことを特徴とするものである。
【０００９】
本発明に係る電動工具（１０）においては、前記保護壁（３５）は、前記ハウジング（１１）と一体的に形成されていることが好適である。
【００１０】
また、本発明に係る電動工具（１０）においては、前記保護壁（３５）は、前記スイッチレバー（３１ａ）から所定距離分離間した位置に設けられており、前記スイッチレバー（３１ａ）の周囲の少なくとも一部を取り囲むように湾曲部（３５ｂ）を有して構成することができる。
【００１１】
さらに、本発明に係る電動工具（１０）においては、前記スイッチ装置（３１）は、前記スイッチレバー（３１ａ）をオン位置とオフ位置とに切り替えることでオン・オフ切り替えを行うスイッチ装置として構成されており、前記保護壁（３５）は、前記装置側端子コネクタ（３２）と前記スイッチレバー（３１ａ）との間を仕切る仕切壁部（３５ａ）と、前記スイッチレバー（３１ａ）のオフ位置側を保護するように設けられるオフ位置側壁部（３５ｃ）と、前記仕切壁部（３５ａ）と前記オフ位置側壁部（３５ｃ）とをつなぐ前記湾曲部（３５ｂ）と、を有して構成されており、前記オフ位置側壁部（３５ｃ）は、前記スイッチレバー（３１ａ）を操作する操作者の指先が挿入できる程度に当該スイッチレバー（３１ａ）に対して離間した位置に設けることができる。
【００１２】
また、本発明に係る電動工具（１０）においては、前記保護壁（３５）の前記スイッチレバー（３１ａ）と対向する壁面に前記スイッチ装置（３１）のオン・オフ状態を示す標識を設けることができる。
【発明の効果】
【００１３】
本発明によれば、誤操作を防止することのできる電動工具を提供可能となる。
【図面の簡単な説明】
【００１４】
【図１】本実施形態に係る電動工具の外観上面図である。
【図２】本実施形態に係る電動工具の左側面図である。
【図３】図１中のＡ−Ａ断面を示す縦断面左側面図である。
【図４】本実施形態に係る電動工具の外観上面図であり、本実施形態に係る電動工具に対して電源コード４１の先端部に取り付けられたコード側端子コネクタ４２が取り外された状態が示されている。
【図５】本実施形態に係る電動工具を後方斜め下側から見た場合の外観斜視図である。
【図６】本実施形態に係る電動工具を後方斜め上側から見た場合の外観斜視図である。
【図７】本実施形態に係る電動工具を後方斜め上側から見た場合の外観斜視図であり、本実施形態に係る電動工具に対して電源コード４１の先端部に取り付けられたコード側端子コネクタ４２が取り外された状態が示されている。
【図８】図６で示した本実施形態に係る電動工具の要部を拡大した部分拡大図である。
【図９】本実施形態に係る電動工具を後方から見た場合の外観後面図であり、図中の分図（ａ）には、本実施形態に係る電動工具に対して電源コード４１の先端部に取り付けられたコード側端子コネクタ４２が取り外された状態であって、スイッチレバー３１ａが下位置にあってオフ状態となっている様子が示されており、分図（ｂ）には、本実施形態に係る電動工具に対して電源コード４１の先端部に取り付けられたコード側端子コネクタ４２が接続された状態であって、スイッチレバー３１ａが下位置にあってオフ状態となっている様子が示されており、分図（ｃ）には、本実施形態に係る電動工具に対して電源コード４１の先端部に取り付けられたコード側端子コネクタ４２が接続された状態であって、スイッチレバー３１ａが上位置にあってオン状態となっている様子が示されている。
【図１０】本実施形態に係る電動工具の外観下面図であり、テールケース１４の辺りが示されている。
【図１１】本実施形態に係る電動工具を後方斜め下側から見た場合の外観斜視図の要部を拡大した部分拡大図であり、本実施形態に係る電動工具に対して取り付けられたフィルタ部材１１０が下方へ取り外された状態が示されている。
【図１２】本実施形態に係る電動工具の左側面図であり、本実施形態に係る電動工具を載置平面に置いた状態が示されている。
【図１３】図１２中のＢ−Ｂ断面を示す断面図である。
【発明を実施するための形態】
【００１５】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１６】
まず、図１〜図４を用いて、本実施形態に係る電動工具１０の基本的構成についての説明を行う。ここで、図１は、本実施形態に係る電動工具の外観上面図であり、図２は、本実施形態に係る電動工具の左側面図である。また、図３は、図１中のＡ−Ａ断面を示す縦断面左側面図である。なお、図１〜図３については、本実施形態に係る電動工具１０に対して電源コード４１の先端部に取り付けられたコード側端子コネクタ４２が接続された状態が示されている。さらに、図４は、本実施形態に係る電動工具の外観上面図であり、本実施形態に係る電動工具に対して電源コード４１の先端部に取り付けられたコード側端子コネクタ４２が取り外された状態が示されている。なお、以下の説明では、説明の便宜のために電動工具１０の使用状態に応じた方向を定義することとする。すなわち、図１および図２にて図示するように、先端工具である砥石２１が設置される側を「前」、電源コード４１の先端部に取り付けられたコード側端子コネクタ４２が設置される側を「後」、図１における紙面上側を「右」、図１における紙面下側を「左」、図２における紙面上側を「上」、図２における紙面下側を「下」と呼ぶこととする。なお、本明細書で定義した方向が本実施形態に係る電動工具１０の使用方向を限定するものではなく、本実施形態に係る電動工具１０は、あらゆる姿勢方向で用いることが可能である。
【００１７】
図１〜図４にて示すように、本実施形態に係る電動工具１０は、手持ち式の携帯用グラインダとして構成されるものであり、長手方向に延びて形成されるハウジング１１と、研削作業を行うための先端工具である円盤状の砥石２１とを有して構成されている。
【００１８】
ハウジング１１は、駆動源となるモータ１６を内部に収納するケーシングとしてのモータケース１２と、モータ１６からの回転駆動力を受けてこの回転駆動力を砥石２１に伝達するための複数の歯車群等からなる駆動力伝達手段を収納するギアケース１３と、モータ１６に対して電力を供給するための給電機器やモータ１６を動作制御するための制御基板等が収納されたケーシングとしてのテールケース１４とによって構成されている。
【００１９】
モータケース１２は、樹脂又はアルミニウム合金などの金属製の部材によって構成されており、このモータケース１２におけるモータ収納部分の外周箇所が、操作者から把持を受ける把持部として構成されている。また、モータケース１２の外郭形状は、操作者が把持し易いように略円筒状に形成されている。
【００２０】
モータケース１２の前方側に連結されるギアケース１３は、例えばアルミニウム合金などの金属製の部材により構成されている。そして、このギアケース１３の下部には、研削作業を行うこととなる先端工具としての砥石２１が配置されており、砥石２１の背面側には、操作者に対して切粉などが飛散しないようにするために、安全カバー２２が設置されている。
【００２１】
モータケース１２の後方側に連結されるテールケース１４は、樹脂によって構成されている。このテールケース１４は、上下位置に多数の開口孔１５が形成されたフィルタ部材１１０が着脱可能に装着されており、この開口孔１５から外部の空気を取り込んで、内部の給電機器等の空冷が行えるように構成されている。また、テールケース１４の後方には、不図示の外部電源からの電力をモータ１６に対して供給するための電源コード４１の先端部に取り付けられたコード側端子コネクタ４２が設置可能となっている。
【００２２】
本実施形態に係る電動工具１０の内部構造を描いた図３にて示されるように、モータケース１２の内部には砥石２１を駆動するための駆動源となるモータ１６が収納されており、このモータ１６の前方には、遠心ファン１７が設置されている。遠心ファン１７は、モータケース１２とギアケース１３とが接続する箇所の近傍内部の位置に配置されることで、内部に冷却風を通す役割を果たしている。したがって、モータ１６の駆動によって遠心ファン１７が回転すると、テールケース１４の上下位置に装着されたフィルタ部材１１０の開口孔１５から外気が内部に取り込まれることで冷却風が発生し、この冷却風はテールケース１４及びモータケース１２の内部を通って給電機器やモータ１６等を冷却した後、ギアケース１３内を通過して、電動工具１０の前方から機外に排出されるように構成されている。
【００２３】
テールケース１４には、スイッチ装置３１や装置側端子コネクタ３２が収納されている。操作者は、電源コード４１の先端部に取り付けられたコード側端子コネクタ４２を後方から装置側端子コネクタ３２に挿し込んで、後面視で時計回りの方向にコード側端子コネクタ４２を所定角度回転させることで、装置側端子コネクタ３２に対するコード側端子コネクタ４２の接続を行うことが可能となっている。この状態から、操作者がスイッチ装置３１に設けられたスイッチレバー３１ａの切り替え操作を行うことによって、モータ１６が回転又は停止する。なお、本実施形態に係るスイッチレバー３１ａは、上位置と下位置の２箇所の位置でオン・オフ切り替えを行うトグルスイッチとして構成されている。そして、操作者がスイッチレバー３１ａを上位置に移動させるとオン状態となり、下位置に移動させるとオフ状態となるように構成されている。したがって、操作者がモータケース１２を片手で把持し、他方の手の指でスイッチレバー３１ａを上位置に移動させてオン状態にすると、モータ１６が回転駆動し、砥石２１が回転する。研削作業が終了し、操作者がスイッチレバー３１ａを下位置に移動させてオフ状態にすると、モータ１６が停止し、砥石２１が回転を停止する。
【００２４】
なお、装置側端子コネクタ３２に対して接続されたコード側端子コネクタ４２を取り外す場合は、後面視で反時計回りの方向にコード側端子コネクタ４２を所定角度回転させた後、後方へ引き抜くことになる。
【００２５】
以上、本実施形態に係る電動工具１０の基本構成について説明したが、本実施形態に係る電動工具１０は、さらなる有意な特徴を有している。そこで、図５〜図９を参照図面に加えて、本実施形態に係る電動工具１０の特徴的な構成をさらに説明する。ここで、図５は、本実施形態に係る電動工具を後方斜め下側から見た場合の外観斜視図であり、図６は、本実施形態に係る電動工具を後方斜め上側から見た場合の外観斜視図である。なお、図５および図６については、本実施形態に係る電動工具１０に対して電源コード４１の先端部に取り付けられたコード側端子コネクタ４２が設置された状態が示されている。また、図７は、本実施形態に係る電動工具を後方斜め上側から見た場合の外観斜視図であり、本実施形態に係る電動工具に対して電源コード４１の先端部に取り付けられたコード側端子コネクタ４２が取り外された状態が示されている。さらに、図８は、図６で示した本実施形態に係る電動工具の要部を拡大した部分拡大図である。またさらに、図９は、本実施形態に係る電動工具を後方から見た場合の外観後面図であり、図中の分図（ａ）には、本実施形態に係る電動工具に対して電源コード４１の先端部に取り付けられたコード側端子コネクタ４２が取り外された状態であって、スイッチレバー３１ａが下位置にあってオフ状態となっている様子が示されており、分図（ｂ）には、本実施形態に係る電動工具に対して電源コード４１の先端部に取り付けられたコード側端子コネクタ４２が接続された状態であって、スイッチレバー３１ａが下位置にあってオフ状態となっている様子が示されており、分図（ｃ）には、本実施形態に係る電動工具に対して電源コード４１の先端部に取り付けられたコード側端子コネクタ４２が接続された状態であって、スイッチレバー３１ａが上位置にあってオン状態となっている様子が示されている。
【００２６】
図５〜図９に示すように、本実施形態に係る電動工具１０では、装置側端子コネクタ３２とスイッチ装置３１が備えるスイッチレバー３１ａとが、ハウジング１１における反先端工具設置側であるテールケース１４の後端面に対して左右横並びに並んで設置されている。また、装置側端子コネクタ３２とスイッチ装置３１が備えるスイッチレバー３１ａとは、所定量離間して互いに接近して設置されている。そして、本実施形態では、テールケース１４の後端面に左右横並びで配置される装置側端子コネクタ３２とスイッチレバー３１ａとの間の位置に、装置側端子コネクタ３２とスイッチレバー３１ａとを仕切る保護壁３５が設けられているという、構成上の特徴を有している。
【００２７】
この保護壁３５について具体的に説明すると、本実施形態に係る保護壁３５は、ハウジング１１を構成するテールケース１４と一体的に形成されるものであり、テールケース１４の後端面から後方に向けて突出した形状を有して構成されている。
【００２８】
また、本実施形態に係る保護壁３５は、スイッチ装置３１が備えるスイッチレバー３１ａの操作性を考慮して、スイッチ装置３１が備えるスイッチレバー３１ａから所定距離分離間した位置に設けられており、さらに、スイッチレバー３１ａの周囲の少なくとも一部を取り囲むように湾曲部３５ｂを有して構成されている。すなわち、本実施形態に係る保護壁３５は、図８および図９においてより詳細に示されるように、装置側端子コネクタ３２とスイッチレバー３１ａとの間を仕切る仕切壁部３５ａと、スイッチレバー３１ａのオフ位置側（すなわち、紙面下側）を保護するように設けられるオフ位置側壁部３５ｃと、仕切壁部３５ａとオフ位置側壁部３５ｃとをつなぐ湾曲部３５ｂと、を有しており、後面視の外観形状が略逆Ｌ字形となるように構成されている。この保護壁３５により、コード側端子コネクタ４２を装置側端子コネクタ３２に対して接続するとき又は取り外すときに、コード側端子コネクタ４２を把持する手がスイッチレバー３１ａに接触して、スイッチレバー３１ａを誤操作してしまうことを防止することが可能となっている。特に、手袋を使用している場合は、コード側端子コネクタ４２を把持する手がスイッチレバー３１ａに接触して、スイッチレバー３１ａを誤操作してしまう可能性が高まることが想定されるが、保護壁３５を設けたことにより、このような手袋を使用している場合においても、好適に誤操作を防止することが可能となっている。さらに、本実施形態に係る電動工具１０は、コード側端子コネクタ４２を装置側端子コネクタ３２に対して接続するときや取り外すときに所定角度の回転操作が必要となる構成であることから、コード側端子コネクタ４２を把持する手がスイッチレバー３１ａに接触して、スイッチレバー３１ａを誤操作してしまう可能性がより高まることが想定されるが、このよう構成の場合においても、より好適に誤操作を防止することが可能となっている。
【００２９】
また、本実施形態に係る保護壁３５を構成する部位のうちのオフ位置側壁部３５ｃは、スイッチレバー３１ａを操作する操作者の指先が挿入できる程度に当該スイッチレバー３１ａに対して離間した位置に設けられている。したがって、本実施形態に係る保護壁３５によれば、操作者は、スイッチレバー３１ａの操作性を阻害されることなく誤操作を防止することが可能となっている。また、本実施形態に係る保護壁３５は、湾曲部３５ｂを備えることで後面視の外観形状が略逆Ｌ字形となっているので、かかる構造上の利点として高い強度を備えるという効果を有している。
【００３０】
なお、本実施形態に係る保護壁３５では、仕切壁部３５ａが装置側端子コネクタ３２とスイッチ装置３１との間の位置からスイッチレバー３１ａがオフ状態となる下位置に亘って下方に延びて形成されるとともに、オフ位置側壁部３５ｃがテールケース１４の周壁１４ａの近傍まで延びて形成されているが、本発明に係る保護壁の形態については、図示のものに限られず、上述した作用効果を発揮できる範囲において任意に変更が可能である。
【００３１】
また、本実施形態に係る保護壁３５については、当該保護壁３５の高さ位置が、スイッチレバー３１ａの先端位置と略同じ位置となるように構成されていることが好ましい。かかる構成を備えることによって、装置側端子コネクタ３２に対してコード側端子コネクタ４２を挿入設置する際にスイッチレバー３１ａを誤操作することがないという作用効果を得つつ、スイッチレバー３１ａ自体を保護する機能も発揮することが可能となる。
【００３２】
さらに、本実施形態に係る保護壁３５については、スイッチレバー３１ａのオン位置側、すなわちスイッチレバー３１ａの上位置方向に対して保護壁３５が形成されていないという形態的特徴を備えている。かかる構成を備えることによって、装置側端子コネクタ３２に対してコード側端子コネクタ４２を挿入設置する際にスイッチレバー３１ａを誤操作することがないという作用効果を得つつ、スイッチレバー３１ａの高い操作性を確保することが可能となっている。
【００３３】
なお、本実施形態に係る電動工具１０では、スイッチ装置３１（スイッチレバー３１ａ）のオン・オフ状態を操作者が容易に把握できるようにするために、「Ｉ／ＯＮ」の標識と「Ｏ／ＯＦＦ」の標識が操作者から非常に見易い位置に設けられている。具体的には、図８にてより詳細に示されるように、オフ位置側壁部３５ｃのスイッチレバー３１ａと対向する壁面に対してスイッチ装置３１のオフ状態を示す「Ｏ／ＯＦＦ」の標識が設けられている。また、テールケース１４の後方端面の外周に形成された周壁１４ａに対して、スイッチレバー３１ａのオン状態を示す「Ｉ／ＯＮ」の標識が設けられている。保護壁３５が存在していない従来技術では、このような標識はスイッチレバー３１ａの後端側の端面に設けるしかなかったが、このような垂直面に標識を設けたのでは、操作者から非常に見難いという課題が存在していた。しかしながら、本実施形態に係る構成によれば、「Ｉ／ＯＮ」の標識と「Ｏ／ＯＦＦ」の標識が操作者から非常に見易いという効果を得ることが可能となっている。
【００３４】
また、上述したように、ハウジング１１を構成するテールケース１４の後方端面の外周には、装置側端子コネクタ３２とスイッチ装置３１とを取り囲むように周壁１４ａが設けられており、この周壁１４ａは、テールケース１４の後方端面の外周から後方に向けて突出して形成されている。そして、本実施形態に係る周壁１４ａは、当該周壁１４ａの高さ位置が、保護壁３５の高さ位置と略同じ位置となるように構成されていることから、周壁１４ａの内部に設置された装置側端子コネクタ３２やスイッチ装置３１といった部材を好適に保護することが可能となっている。特に、本実施形態では、周壁１４ａと保護壁３５、さらにはスイッチレバー３１ａそれぞれの高さが略同一寸法となるように構成されているので、スイッチレバー３１ａの誤操作を防止できるという有意な作用効果を得ることが可能となっている。
【００３５】
一方で、本実施形態に係る周壁１４ａには、周壁１４ａの一部、具体的には周壁１４ａの上部と下部の位置に、スイッチ装置３１への操作を阻害しないようにするための逃がし形状１４ｂが形成されている。したがって、本実施形態に係る周壁１４ａは、逃がし形状１４ｂを有することで、スイッチレバー３１ａを誤操作することがないという作用効果を得つつ、スイッチレバー３１ａの高い操作性を確保することが可能となっている。
【００３６】
以上、本実施形態に係る電動工具１０の特徴的な構成をさらに説明したが、本実施形態に係る電動工具１０は、さらなる別の特徴を有している。そこで、図１０〜図１３を参照図面に加えて、本実施形態に係る電動工具１０のさらなる別の特徴について説明する。ここで、図１０は、本実施形態に係る電動工具の外観下面図であり、テールケース１４の辺りが示されている。図１１は、本実施形態に係る電動工具を後方斜め下側から見た場合の外観斜視図の要部を拡大した部分拡大図であり、本実施形態に係る電動工具に対して取り付けられたフィルタ部材１１０が下方へ取り外された状態が示されている。図１２は、本実施形態に係る電動工具の左側面図であり、本実施形態に係る電動工具を床面に置いた状態が示されている。図１３は、図１２中のＢ−Ｂ断面を示す断面図である。
【００３７】
本実施形態に係る電動工具１０は、テールケース１４の上下位置それぞれに多数の開口孔１５が形成されたフィルタ部材１１０が着脱可能に装着されている。フィルタ部材１１０がテールケース１４に装着された状態では、フィルタ部材１１０の外周面とテールケース１４の外周面とがほぼ連続した筒状となるように構成されている。フィルタ部材１１０の外周面とテールケース１４の外周面とは、共に把持部として使用することができる。
【００３８】
フィルタ部材１１０は、主要部が樹脂からなり、テールケース１４の外周面に沿うように略円弧状の断面を有して前後に延びて平面視略矩形形状に形成されている。図１１に示すように、フィルタ部材１１０は、テールケース１４に対向する面側（内面側）の前端部の左右両端位置にフック１１５，１１５を有するとともに、その後端部の中央に係止部１１１を有している。なお、フィルタ部材１１０の後端部は、左右方向の大きさが前側より小さく形成されている。係止部１１１は、テールケース１４側に向かって逆Ｕ字状に突出した湾曲突部１１４と、湾曲突部１１４の後側に連設され、後方に向かって平板状に延びる操作片１１２とを有している。操作片１１２の後端面１１３は、左右方向に延びて形成されている。また、湾曲突部１１４は、逆Ｕ字状に形成されていることから弾性変形が可能となっている。
【００３９】
フィルタ部材１１０をテールケース１４に装着する場合は、フック１１５，１１５をテールケース１４に形成される溝１４１，１４１に挿入して引っ掛けた状態でさらに係止部１１１のあたりの外面をテールケース１４側に向かって押圧する。この押圧により、湾曲突部１１４が弾性変形しながらテールケース１４に形成される被係止孔１４２に対して所定の位置まで差し込まれる。所定の位置まで差し込まれると、湾曲突部１１４の弾性復元力によって係止部１１１が被係止孔１４２に係止し、フィルタ部材１１０のテールケース１４への装着状態が維持される。この状態のとき、後端面１１３は、逃がし形状１４ｂの後端より所定量前側に位置している。すなわち、操作片１１２が逃がし形状１４ｂを超えて後方へ突出しないように構成されている。これは、操作片１１２を意図せず操作してフィルタ部材１１０が離脱してしまうことを防止するためである。
【００４０】
清掃等のためにフィルタ部材１１０をテールケース１４から取り外す場合は、係止部１１１の操作片１１２の後端面１１３を前方に向かって押圧する。この押圧によって湾曲突部１１４が弾性変形すると、係止部１１１の被係止孔１４２への係止が解除される。そして、操作片１１１をテールケース１４から離れる方向に移動させると、フィルタ部材１１０をテールケース１４から取り外すことができる。
【００４１】
テールケース１４の後端部下面には左右一対の接地部１５１，１５２が下方に向かって突出して形成されている。接地部１５１，１５２は、比較的小さな略四角柱として形成されており、その形成位置は、図１０に示されるように、テールケース１４の左右方向中心を通る垂直平面に対して対称となる位置であって、テールケース１４の下側に装着されたフィルタ部材１１０の後端部の左右両側となる位置である。より具体的には、接地部１５１，１５２の形成位置は、装着されたフィルタ部材１１０の操作片１１２の後端面１１３の左右両側となる位置である。また、接地部１５１，１５２の下方への突出量は、図１３に示されるように、その下端が操作片１１２の下端よりわずかに下方に位置する大きさに設定されている。
【００４２】
図１２に示すように、砥石２１を下側として電動工具１０を床面等の載置平面ＦＬに置いた場合、電動工具１０は前上がり傾斜した姿勢となる。このとき、載置平面ＦＬに接地する箇所は、安全カバー２２の後部下端と接地部１５１，１５２の下端の３箇所となり、図１３に示すように、フィルタ部材１１０の操作片１１２が載置平面ＦＬに接地することはない。すなわち、操作片１１２が接地によって磨耗して後端面１１３の辺りが薄くなることがない。したがって、フィルタ部材１１０をテールケース１４から取り外すときの後端面１１３を押圧する操作が困難になることがない。また、接地部１５１，１５２の突出量を、その下端が操作片１１２の下端よりわずかに下方に位置する大きさに設定しているので、接地部１５１，１５２の突出量が必要以上に大きくならない。したがって、作業時等においてテールケース１４の後端部を把持したときに、接地部１５１，１５２が邪魔になり難い。
【００４３】
以上、本発明の好適な実施形態について説明したが、本発明の技術的範囲は上記実施形態に記載の範囲には限定されない。上記実施形態には、多様な変更又は改良を加えることが可能である。
【００４４】
例えば、上述した実施形態では、手持ち式の携帯用グラインダとして構成される電動工具１０を例示して説明したが、本発明の適用範囲は手持ち式の携帯用グラインダに限定されるものではなく、丸鋸などのあらゆる形式の電動工具に対して適用することができる。
【００４５】
また例えば、上述した実施形態では、オフ位置側壁部３５ｃのスイッチレバー３１ａと対向する壁面に対してスイッチ装置３１のオフ状態を示す「Ｏ／ＯＦＦ」の標識が設けられている構成であったが、本発明の適用範囲はこれに限定されない。スイッチ装置３１のオン状態を示す「Ｉ／ＯＮ」の標識を、オン位置側のあるスイッチレバー３１ａに対向する保護壁３５の壁面に設ける構成とすることもできる。
【００４６】
また例えば、上述した実施形態では、接地部１５１，１５２の突出量は、その下端が操作片１１２の下端よりわずかに下方に位置する大きさに設定されていたが、これに限定されない。接地部１５１，１５２の突出量を、その下端が操作片１１２の下端とほぼ同じ上下方向位置となる大きさに設定することもできる。このように設定した場合、操作片１１２は、載置平面ＦＬに接地したとしても、接地部１５１，１５２によってその磨耗量を制限されるので、上述した実施形態と同様の効果を発揮することができる。
【００４７】
その様な変更又は改良を加えた形態も本発明の技術的範囲に含まれ得ることが、特許請求の範囲の記載から明らかである。
【符号の説明】
【００４８】
１０  電動工具、１１  ハウジング、１２  モータケース、１３  ギアケース、１４  テールケース、１４ａ  周壁、１４ｂ  逃がし形状、１５  開口孔、１６  モータ、１７  遠心ファン、２１  砥石、２２  安全カバー、３１  スイッチ装置、３１ａ  スイッチレバー、３２  装置側端子コネクタ、３５  保護壁、３５ａ  仕切壁部、３５ｂ  湾曲部、３５ｃ  オフ位置側壁部、４１  電源コード、４２  コード側端子コネクタ、１１０  フィルタ部材、１１１  係止部、１１２  操作片、１１３  後端面、１１４  湾曲突部、１１５  フック、１４１  溝、１４２  被係止孔、接地部  １５１、接地部  １５２。
【図１】
2019059010.tif 000003
【図２】
2019059010.tif 000004
【図３】
2019059010.tif 000005
【図４】
2019059010.tif 000006
【図５】
2019059010.tif 000007
【図６】
2019059010.tif 000008
【図７】
2019059010.tif 000009
【図８】
2019059010.tif 000010
【図９】
2019059010.tif 000011
【図１０】
2019059010.tif 000012
【図１１】
2019059010.tif 000013
【図１２】
2019059010.tif 000014
【図１３】
2019059010.tif 000015